(57)【要約】【課題】医薬品が収納された重量物である容器が内部に収容されても、輸送中の衝撃に耐える強度を有し、かつ、良好な底部開封性を発揮する紙個箱、及び、医薬品が収納された容器を紙個箱の内部に収容した医薬品包装体を提供する。【解決手段】医薬品が収納される容器を包装する紙個箱であって、筒状の側壁部と、前記側壁部の下部開口を閉塞する底面部と、前記側壁部の上部開口を閉塞する上面部とを備えており、前記側壁部の下部には、前記底面部及び前記側壁部の境界の一部分と、前記一部分の両端に接続する下部側壁切り込み線部とで区画される下部開封片が形成されており、前記底面部の面内部には、一方端が、前記下部側壁切り込み線部の両端にそれぞれ接続し、他方端が、前記底面部の周縁に接続する一対の底面切り込み線部が形成されており、前記一対の底面切り込み線部は、前記一方端側から他方端側に向かうに従い、互いに離間することを特徴とする紙個箱。【選択図】図２
2020121045.tif 000002
【特許請求の範囲】
【請求項１】
医薬品が収納される容器を包装する紙個箱であって、
筒状の側壁部と、前記側壁部の下部開口を閉塞する底面部と、前記側壁部の上部開口を閉塞する上面部とを備えており、
前記側壁部の下部には、前記底面部及び前記側壁部の境界の一部分と、前記一部分の両端に接続する下部側壁切り込み線部とで区画される下部開封片が形成されており、
前記底面部の面内部には、一方端が、前記下部側壁切り込み線部の両端にそれぞれ接続し、他方端が、前記底面部の周縁に接続する一対の底面切り込み線部が形成されており、
前記一対の底面切り込み線部は、前記一方端側から他方端側に向かうに従い、互いに離間することを特徴とする紙個箱。
【請求項２】
前記下部開封片の前記底面部からの最大高さが、８ｍｍ以上２０ｍｍ以下に構成されていることを特徴とする請求項１に記載の紙個箱。
【請求項３】
前記下部側壁切り込み線部が、前記一部分に略平行な上辺部を備えており、前記上辺部は、前記側壁部の厚み方向に切りこんだ複数の上辺切り込み部と、前記上辺切り込み部同士の間に配置される上辺ツナギ部とを備えており、
前記上辺ツナギ部の長さは、２．５ｍｍ以上３．５ｍｍ以下であることを特徴とする請求項１又は２に記載の紙個箱。
【請求項４】
前記上辺部の全長に対する前記上辺ツナギ部の割合が、１０％以上５０％以下であることを特徴とする請求項３に記載の紙個箱。
【請求項５】
請求項１から４のいずれかに記載の紙個箱と、医薬品を内部に収納した状態で前記紙個箱に収容される容器とを備える医薬品包装体であって、
前記容器の底部の輪郭形状は、５角形以上の多角形状、もしくは、円形に形成されていることを特徴とする医薬品包装体。
【請求項６】
前記紙個箱に前記医薬品を内部に収納したときの、前記紙個箱の前記底面部単位面積あたりの重量が、４ｇ／ｃｍ２以上であることを特徴とする請求項５に記載の医薬品包装体。
【発明の詳細な説明】
【技術分野】
【０００１】
本発明は、紙個箱及び医薬品包装体に関する。
【背景技術】
【０００２】
従来から、錠剤タイプや丸薬タイプ、顆粒タイプの種々の医薬品が市販されている。このような医薬品は、通常、ビン容器等に収納された上、更に商品パッケージとしての紙個箱内に収容された態様で市場に流通している。
【０００３】
ビン容器が収容される紙個箱には、利用者の利便性を高めるために、その上面部に、製品使用開始時に個箱を開封するための切り込み線部が形成されているのが一般的である。この切り込み線部としては、例えば、図７の斜視図に示すように、側壁部に形成され、紙個箱の側壁部と上面部との境界部分（角部分稜線）の中間部の２点をそれぞれ始点、終点とする上部側壁切り込み線部１００と、角部分稜線１０１上に形成され、上部側壁切り込み線部１００の両端部から互いに反対方向に延び出して角部分稜線１０１の各端部に接続する一対の上部角部切り込み線部１０２を備えて構成されるものが知られている。
【０００４】
また、紙個箱は、廃棄する際にその体積を減らす目的で箱を薄く畳んだり、小さく潰すことができるように構成されることが使用者の利便性を高めるという観点から好ましく、紙個箱の上面部に形成されるような切り込み線部を紙個箱の底部にも設けることが検討されてきた。
【０００５】
しかしながら、医薬品を収納した容器を紙個箱に収容した医薬品包装体製品の場合、その内容物の重量が大きいという問題から、紙個箱の底部に図７に示す構造と類似の切り込み線部を形成すると、輸送中の衝撃等で切り込み線部が破断してしまい、底部が開封してしまうリスクが高いという問題があった。係る問題により、未だ、医薬品を収納した容器を包装するための紙個箱においては、底部開封構造が実装されず、紙個箱廃棄時に簡単に当該個箱を小さく折り畳むことが困難であり、使用者の利便性が悪いという問題があった。
【発明の概要】
【発明が解決しようとする課題】
【０００６】
本発明は、かかる問題を解決すべくなされたものであって、医薬品が収納された重量物である容器が内部に収容されても、輸送中の衝撃に耐える強度を有し、かつ、良好な底部開封性を発揮する紙個箱、及び、医薬品が収納された容器を紙個箱の内部に収容した医薬品包装体を提供することを目的とする。
【課題を解決するための手段】
【０００７】
本発明の上記目的は、医薬品が収納される容器を包装する紙個箱であって、筒状の側壁部と、前記側壁部の下部開口を閉塞する底面部と、前記側壁部の上部開口を閉塞する上面部とを備えており、前記側壁部の下部には、前記底面部及び前記側壁部の境界の一部分と、前記一部分の両端に接続する下部側壁切り込み線部とで区画される下部開封片が形成されており、前記底面部の面内部には、一方端が、前記下部側壁切り込み線部の両端にそれぞれ接続し、他方端が、前記底面部の周縁に接続する一対の底面切り込み線部が形成されており、前記一対の底面切り込み線部は、前記一方端側から他方端側に向かうに従い、互いに離間することを特徴とする紙個箱により達成される。
【０００８】
この紙個箱において、前記下部開封片の前記底面部からの最大高さが、８ｍｍ以上２０ｍｍ以下に構成されていることが好ましい。
【０００９】
また、前記下部側壁切り込み線部は、前記一部分に略平行な上辺部を備えており、前記上辺部は、前記側壁部の厚み方向に切りこんだ複数の上辺切り込み部と、前記上辺切り込み部同士の間に配置される上辺ツナギ部とを備えており、前記上辺ツナギ部の長さは、２．５ｍｍ以上３．５ｍｍ以下となるように構成することが好ましい。
【００１０】
また、前記上辺部の全長に対する前記上辺ツナギ部の割合が、１０％以上５０％以下であることが好ましい。
【００１１】
また、本発明の上記目的は、上述の紙個箱と、医薬品を内部に収納した状態で前記紙個箱に収容される容器とを備える医薬品包装体であって、前記容器の底部の輪郭形状は、５角形以上の多角形状、もしくは、円形に形成されていることを特徴とする医薬品包装体により達成される。
【００１２】
また、前記紙個箱に前記医薬品を内部に収納したときの、前記紙個箱の前記底面部単位面積あたりの重量が、４ｇ／ｃｍ２以上となるように構成してもよい。
【発明の効果】
【００１３】
本発明によれば、医薬品が収納された重量物である容器が内部に収容されても、輸送中の衝撃に耐える強度を有し、かつ、良好な底部開封性を発揮する紙個箱、及び、医薬品が収納された容器を紙個箱の内部に収容した医薬品包装体を提供することができる。
【図面の簡単な説明】
【００１４】
【図１】本発明に係る紙個箱の概略構成斜視図である。
【図２】図１に係る紙個箱の底面図である。
【図３】図１に係る紙個箱の下部における要部拡大図である。
【図４】図１に係る紙個箱の展開図である。
【図５】（ａ）は、図１に係る紙個箱の上面部近傍の概略構成成断面図であり、（ｂ）は、図１に係る紙個箱の底面部近傍の概略構成成断面図である。
【図６】（ａ）（ｂ）共に、本発明に係る紙個箱の強度確認試験内容を説明するための模式図である。
【図７】従来の紙個箱を示す概略構成斜視図である。
【発明を実施するための形態】
【００１５】
本発明に係る紙個箱について添付図面を参照して以下説明する。図１は、本発明に係る紙個箱１の概略構成斜視図であり、図２は、その底面図である。また、図３は、紙個箱１の下部における要部拡大図である。なお、各図は、構成の理解を容易ならしめるために部分的に拡大・縮小している。
【００１６】
本発明に係る紙個箱１は、例えば、錠剤や丸薬タイプの医薬品が収納される容器を内部に収容して包装する個箱であり、図１〜図３に示すように、筒状の側壁部２と、側壁部２の下部開口を閉塞する底面部３と、側壁部２の上部開口を閉塞する上面部４とを備えている。この紙個箱１は、底面部３及び上面部４の輪郭形状が正方形となる直方体状として形成されている。なお、側壁部２は、背面板３２、第１側面板３３、正面板３４、第２側面板３５の四面を備えて構成されている。
【００１７】
側壁部２の一部を構成する背面板３２の上部には、上面部４及び側壁部２の境界（上面部４と背面板３２との境界を構成する角部分稜線２１）の一部分２１ａと、当該一部分２１ａの両端に接続する上部側壁切り込み線部５とで区画される上部開封片６が形成されている。また、上面部４と背面板３２との境界を構成する角部分稜線２１には、上部側壁切り込み線部５の両端部から互いに反対方向に延び出して角部分稜線の端部に接続する一対の上部角部切り込み線部７，７が形成されている。上部開封片６は、上部角切り込み線部７を破断させて上面部４を開封する操作の起点となる部分であり、人の手指（例えば、親指）で紙個箱１内部に押し込み可能な大きさに構成されている。
【００１８】
ここで、上部側壁切り込み線部５は、側壁部２の厚み方向に切りこんだ複数の切り込み部と、切り込み部同士の間に配置されるツナギ部とを備えて構成されている。上部角切り込み線部７も同様に、角部分稜線２１の厚み方向に切りこんだ複数の切り込み部と、切り込み部同士の間に配置されるツナギ部とを備えて構成されている。なお、切り込み部は、側壁部２や角部分稜線２１の厚み方向に貫通するように構成してもよく、或いは、所定の厚み分だけ切りこんだハーフカット状に構成してもよい。また、例えば、ハーフカット状に切り込み部を構成する場合には、ツナギ部を設けないようにして、各切り込み部を構成してもよい。
【００１９】
また、図１における構成では、上部開封片６の形態を、上面部４と背面板３２との境界を構成する角部分稜線２１の一部分２１ａを下底とする等脚台形状に形成されているが、このような形態に特に限定されるものでは無く、上部側壁切り込み線部５をＵ字状に形成し、上部開封片６の形態が半円形状となるように構成してもよい。
【００２０】
また、側壁部２の一部を構成する背面板３２の下部には、底面部３及び側壁部２の境界（底面部３と背面板３２との境界を構成する角部分稜線２２）の一部分２２ａと、当該一部分２２ａの両端に接続する下部側壁切り込み線部８とで区画される下部開封片９が形成されている。また、底面部３の面内部には、一方端が、下部側壁切り込み線部８の両端にそれぞれ接続し、他方端が、底面部３の周縁に接続する一対の底面切り込み線部１０．１０が形成されている。これら一対の底面切り込み線部１０．１０は、一方端側から他方端側に向かうに従い、互いに離間する形態として構成されている。なお。下部開封片９は、底面切り込み線部１０を破断させて底面部３を開封する操作の起点となる部分であり、人の手指で紙個箱１内部に押し込み可能な大きさに構成されており、背面板３２の下部中央部に配置されている。
【００２１】
ここで、下部側壁切り込み線部８は、側壁部２の厚み方向に切りこんだ複数の切り込み部と、切り込み部同士の間に配置されるツナギ部とを備えて構成されている。各底面切り込み線部１０も同様に、底面部３の厚み方向に切りこんだ複数の切り込み部と、切り込み部同士の間に配置されるツナギ部とを備えて構成されている。なお、切り込み部は、側壁部２や底面部３の厚み方向に貫通するように構成してもよく、或いは、所定の厚み分だけ切りこんだハーフカット状に構成してもよい。
【００２２】
図１や図３に示す形態においては、下部開封片９の形態は、底面部３と背面板３２との境界を構成する角部分稜線２２の一部分２２ａ（底面部３及び側壁部２の境界の一部分）を下底とする等脚台形状に形成されている。つまり、下部開封片９の輪郭の一部を構成する下部側壁切り込み線部８は、底面部３と背面板３２にて形成される角部分稜線２２の一部分２２ａに略平行な上辺部８１を備えるように構成される。この上辺部８１においては、ツナギ部（上辺ツナギ部）を少なくとも２カ所以上形成することが好ましい。また、上辺部８１の全長に対する上辺ツナギ部の割合が、１０％以上５０％以下の範囲となるように構成することが好ましく、更には、３０％以上４０％以下の範囲となるように構成することが、強度を高めつつ良好な開封性を得るという観点からより好ましい。
【００２３】
なお、下部開封片９の形態としては、上記のように等脚台形状に限定されるものでは無く、下部側壁切り込み線部８をＵ字状に形成し、下部開封片９の形態が半円形状となるように構成してもよい。この場合、上記略平行な上辺部８１は、その接線が底面２２に対して４５度以下である部分を指す。
【００２４】
このような紙個箱１は、例えば、図４に示される個箱形成用シート３０を用いて、図１に示されるような直方体形状に組み立てられる。個箱形成用シート３０は、厚紙等の一枚のブランクシートで形成されており、組み立て状態で直方体形状（角筒状）をなす箱本体部３０ａと、角筒状に組立てられた箱本体部３０ａの各開口（上部開口及び下部開口）を閉塞するための蓋構成部３０ｂ及び底面構成部３０ｃとを備えている。箱本体部３０ａは、図４に示されるように、糊代３１、背面板３２、第１側面板３３、正面板３４及び第２側面板３５がこの順に連結されている。
【００２５】
背面板３２は、正面板３４と同じ幅寸法に設定されている。また、第１側面板３３は第２側面板３５と同じ幅寸法に設定されている。なお、本実施形態においては、紙個箱１の底面部３及び上面部４が正方形状となるように構成されているため、背面板３２、第１側面板３３、正面板３４及び第２側面板３５は全て同じ幅寸法となるように構成される。また、糊代３１、背面板３２、第１側面板３３、正面板３４及び第２側面板３５は、それぞれ平行に延び出す折り曲げ線Ｌ１，Ｌ２，Ｌ３，Ｌ４により区切られている。糊代３１は、その表面に塗布された接着剤により箱本体１０の組み立て状態で第２側面板３５の裏面に貼付される。これにより、箱本体部３０ａは角筒形状をなすように周方向で一体化され、紙個箱１の側壁部２を構成する。
【００２６】
蓋構成部３０ｂは、図４に示されるように、内蓋部材４０、外蓋片４１及びフラップ４２，４３を備えている。内蓋部材４０は、正面板３４の一端縁から延設され、内蓋片４０ａ、再封片４０ｂがこの順に連結されて構成されている。内蓋片４０ａと正面板３４とは、折り曲げ線Ｌ５により区切られており、内蓋片４０ａ及び再封片４０ｂは、平行に延び出す折り曲げ線Ｌ６により区切られている。なお、内蓋片４０ａは、正面板３４と折り曲げ線Ｌ５を共有し、正方形状に形成されている。また、再封片４０ｂは、先端の両隅部が円弧形状に形成されている。
【００２７】
外蓋片４１は、個箱形成用シート３０を組み立てた際に、紙個箱１の上面部４を形成する部材であり、上記内蓋片４０ａと略同一の大きさを有する正方形状に形成されている。この外蓋片４１は、背面板３２の一端縁から延設され、折り曲げ線Ｌ７により背面板３２と区切られている。なお、折り曲げ線Ｌ７は、個箱形成用シート３０を組み立てた際に、上面部４と背面板３２にて形成される角部分稜線２１を構成する部分となる。
【００２８】
フラップ４２，４３は、角筒状に組立てられる箱本体部３０ａの上部開口の一部を塞ぐものであり、箱本体部３０ａの内蓋片４０ａと外蓋片４１とがそれぞれ連結される端縁とは別の端縁から延設されている。具体的には、フラップ４２は、第１側面板３３の一端縁から延設され、折り曲げ線Ｌ８により第１側面板３３と区切られている。フラップ４３は、第２側面板３５の一端縁から延設され、折り曲げ線Ｌ９により第２側面板３５と区切られている。
【００２９】
外蓋片４１は、折り曲げ線Ｌ７により折り曲げられることで、内蓋片４０ａの表面に重ね合わされ、裏面に塗布された接着剤により内蓋片４０ａの表面に貼付される。この場合、図５（ａ）の概略構成断面図に示すように、内蓋片４０ａが外蓋片４１とフラップ４２（４３）との間に収容される一方、再封片４０ｂが折り曲げ線Ｌ６により内蓋片４０ａに対し略直角となるように折り曲げられ、フラップ４２，４３の端縁と背面板３２間に形成される隙間を通して角筒状の箱本体部３０ａの内側へ差し込まれる。
【００３０】
底面構成部３０ｃは、図４に示されるように、内底片５１、外底片５２及びフラップ５３，５４を備えている。内底片５１は、正面板３４の他端縁から延設され、折り曲げ線Ｌ１０により正面板３４と区切られている。内底片５１は、正面板３４と折り曲げ線Ｌ１０を共有し、当該折り曲げ線Ｌ１０を下底とする等脚台形状に形成されている。
【００３１】
外底片５２は、個箱形成用シート３０を組み立てた際に、紙個箱１の底面部３を形成する部材であり、上記内蓋片４０ａと略同一の大きさを有する正方形状に形成されている。この外底片５２は、背面板３２の他端縁から延設され、折り曲げ線Ｌ１１により背面板３２と区切られている。なお、折り曲げ線Ｌ１１は、個箱形成用シート３０を組み立てた際に、底面部３と背面板３２にて形成される角部分稜線２２を構成する部分となる。
【００３２】
フラップ３３は、第１側面板３３の他端縁から延設され、折り曲げ線Ｌ１２により第１側面板３３と区切られている。フラップ３４は、第２側面板３５の他端縁から延設され、折り曲げ線Ｌ１３により第２側面板３５と区切られている。
【００３３】
外底片５２は、折り曲げ線Ｌ１１により折り曲げられることで、内底片５１の表面に重ね合わされ、裏面に塗布された接着剤により内底片５１の表面に貼付される。この場合、図５（ｂ）の概略構成断面図に示すように、内底片５１は外底片５２とフラップ５３（５４）との間に収容される。
【００３４】
ここで、背面板３２の一端部側（外蓋片４１側）には、折り曲げ線Ｌ７の中間部の２点をそれぞれ始端、終端とする上部側壁切り込み線部５が形成されている。この上部側壁切り込み線部５と、折り曲げ線Ｌ７の中間部の２点をつないだ部分Ｌ７ａとで区画される領域が、上部開封片６を構成する。この上部開封片６は、折り曲げ線Ｌ７の中間部の２点をつないだ部分Ｌ７ａを下底とする等脚台形状に形成されている。また、上部開封片６は、上部側壁切り込み線部５での破断により背面板３２から離間し、離間後の上部開封片６は、折り曲げ線Ｌ７を回動軸線として回動可能とされている。
【００３５】
また、折り曲げ線Ｌ７上には、上部側壁切り込み線部５の両端部から互いに反対方向に延び出して折り曲げ線Ｌ７の端部に接続する一対の上部角部切り込み線部７，７が形成されている。
【００３６】
また、背面板３２の他端部側（外底片５２側）には、折り曲げ線Ｌ１１の中間部の２点をそれぞれ始端、終端とする下部側壁切り込み線部８が形成されている。この下部側壁切り込み線部８と、折り曲げ線Ｌ１１の中間部の２点をつないだ部分Ｌ１１ａとで区画される領域が、下部開封片９を構成する。この下部開封片９は、折り曲げ線Ｌ１１の中間部の２点をつないだ部分Ｌ１１ａを下底とする等脚台形状に形成されている。また、下部開封片９は、下部側壁切り込み線部８での破断により背面板３２から離間し、離間後の下部開封片９は、折り曲げ線Ｌ１１を回動軸線として回動可能とされている。
【００３７】
また、紙個箱１の底面部３を構成する外底片５２には、その面内部に、一方端が、下部側壁切り込み線部８の両端にそれぞれ接続し、他方端が、外底片５２の周縁に接続する一対の底面切り込み線部１０．１０が形成されている。より具体的には、各底面切り込み線部１０，１０の他方端は、折り曲げ線Ｌ１１に対して垂直な方向に伸びる外底片５２の各辺５２ａ，５２ｂ上に設定されており、各底面切り込み線部１０，１０は、背面板３２の延設方向に向かうに従い、互いに離間するように構成されている。ここで、紙個箱１の内部に容器を収容した状態おける上面部側からの投影図において、各底面切り込み線部１０，１０は、内部に収容される容器の底面の内側領域を通過するような位置に形成されることが好ましい。
【００３８】
上記のように構成された個箱形成用シート３０を組み立てることにより本発明に係る紙個箱１を形成することができ、背面板３２の上部開封片６を上部側壁切り込み線部５及び上部角部切り込み線部７，７に沿って切り離すことで、内蓋部材４０及び外蓋片４１が一体の開封蓋としての機能を果たすようになり、再封片４０ｂを箱本体１０の内側に差し込むことで、開封された紙個箱１を再度閉じた状態とし、更には開閉を繰り返すことができる。
【００３９】
また、背面板３２の下部開封片９を下部側壁切り込み線部８及び底面切り込み線部１０，１０に沿って切り離すことで、内底片５１及び外底片５２が一体の開封底としての機能を果たすようになる。このような開封底構成を採用することにより、当該紙個箱１を容易に小さく折り畳むことが可能となり、紙個箱１を廃棄する際の使用者の利便性を向上させることができる。
【００４０】
本発明に係る紙個箱１においては、底部を開封させるための開封底構成を、上述のように、底面部３及び側壁部２の境界の一部分２２ａと該一部分２２ａの両端に接続する下部側壁切り込み線部８とで区画される下部開封片９と、当該下部開封片９の両端にそれぞれ接続する一対の底面切り込み線部１０．１０とにより構成し、係る一対の底面切り込み線部１０．１０を、底面部３の面内部に形成し、かつ、一方端側から他方端側に向かうに従い、互いに離間するように構成している。このような構成により、医薬品を内部に収納した重量物である容器を内部に収容して包装した場合であっても、輸送中の衝撃等によって紙個箱１の底部における切り込み線部が破断して、箱底部が開封されてしまうことを効果的に抑制することが可能となる。特に、このような一対の底面切り込み線部１０．１０が、折り曲げ線Ｌ１１と向かい合う辺ではなく、折り曲げ線Ｌ１１に対して垂直な方向に伸びる外底片５２の各辺５２ａ，５２ｂにまで下部開封片９の両端からそれぞれ延びる構成を採用することにより、輸送中の衝撃等によって紙個箱１の底部における切り込み線部が破断して、箱底部が開封されてしまうことをより一層効果的に抑制することが可能となる。
【００４１】
より具体的に説明すると、医薬品を収納した容器を内部に収容した紙個箱１に対して生じる輸送中の衝撃は、主に、内部の容器の横揺れに伴う水平方向衝撃、又は、上下方向に持ち上げたり下げたりする際や縦揺れ時に発生する上下方向衝撃が想定され、これらの衝撃によって最も負荷がかかる部分は、側壁部２と底面部３との境界となる。本発明においては、側壁部２と底面部３との境界上に、当該境界と平行な切り込み線部を設けないように構成しているため（上部角部切り込み線部７と類似構造の切り込み線部を設けないように構成しているため）、横揺れ時に容器が側壁部２に衝突したり、縦揺れ時に底面に衝撃が発生したとしても、大きな負荷が発生する側壁部２と底面部３との境界において紙個箱１が破断することを防ぐことができる。
【００４２】
また、本発明においては、一対の底面切り込み線部１０．１０を、底面部３の面内部に形成し、かつ、一方端側から他方端側に向かうに従い、互いに離間するように構成している。このような構成により、側壁部２と底面部３との境界（折り曲げ線Ｌ１１に相当）上に切り込み線部を構成する場合よりも、切り込み線部の長さ寸法を長く構成することが可能となり、この結果、切り込み部同士の間に配置されるツナギ部の長さ寸法や、ツナギ部の数を大きく構成することが可能となる。つまり、底面切り込み線部１０の強度をより一層高めることが可能となり、縦揺れ時に底面に衝撃が発生したとしても、その衝撃によって、底面切り込み線部１０が破断することを効果的に抑制することができ、輸送中の衝撃によって、紙個箱１の底部における切り込み線部が破断して、箱底部が開封されてしまうことを効果的に抑制することが可能となる。
【００４３】
また、下部開封片９の底面部３からの最大高さは、８ｍｍ以上に設定することが、下部開封片９の強度（下部側壁切り込み線部８の強度）を高めるという観点から好ましい。この点、本発明の発明者は試験を行いその効果を確認したので、以下、その試験内容及び試験結果について説明する。
【００４４】
まず、試験内容としては、所定の医薬品収納容器を本発明に係る紙個箱１に収容して包装した医薬品包装体を８個一組となるようにテープにて束ねたものを用意し、この束ねられた８個一組の医薬品包装体セットを１００ｃｍの高さから鉄板を敷いた床面に自由落下させ、その衝撃で下部開封片９が破断するか否かについて確認する方法を採用した。なお、医薬品包装体セットの態様は、図６（ａ）の模式図に示すように、下段に４個の医薬品包装体６１を２×２に配列し、その上部に、残りの４個の医薬品包装体６１を２×２に配列して構成している。また、医薬品包装体セット６０を落下させる際には、図６（ｂ）に示すように、該医薬品包装体セット６０の底部と正面部との間の稜線部分６２が下方に向くようにして落下させた。なお、医薬品包装体セット６０に含まれる各紙個箱１は、下部開封片９が、図６（ｂ）の矢視Ａで示される面側に全て配置されるように配列されている。また、各紙個箱１は、図４に示すような個箱形成用シート３０を組み立てることにより形成されている。
【００４５】
落下試験に供される医薬品包装体セットは、底面部３及び上面部４が、４．８ｃｍ×４．８ｃｍの正方形状を有し、側壁部２の高さが８．１ｃｍとなる紙個箱１に、ビン規格８Ｋのビン容器に錠剤（１００錠）を収納したものにより構成されるＡタイプ：６セット、底面部３及び上面部４が、６．１ｃｍ×６．１ｃｍの正方形状を有し、側壁部２の高さが１２．１ｃｍとなる紙個箱１に、ビン規格１３Ｋのビン容器に錠剤（２８０錠）を収納したものにより構成されるＢタイプ：６セット、底面部３及び上面部４が、６．８ｃｍ×６．８ｃｍの正方形状を有し、側壁部２の高さが１５ｃｍとなる紙個箱１に、専用ビン容器に錠剤（４２０錠）を収納したものにより構成されるＣタイプ：６セットの合計１８セット準備した。なお、Ａタイプ〜Ｃタイプの医薬品包装体セットに含まれる各医薬品包装体の重量は、Ａタイプが、７８ｇであり、Ｂタイプが、２８８ｇ、Ｃタイプが４８９ｇである。なお、各錠剤が収納されるビン容器は、底部の輪郭形状が円形に形成されている。また、紙個箱１は、一般的に使用される強度が３５０ｇ／ｍ２のコートボール紙を用いて形成している。  
【００４６】
上記のような医薬品包装体セット６０において、セット毎に、紙個箱１における下部開封片９の底面部３からの最大高さが異なるように構成している。各セットにおける下部開封片９の底面部３からの最大高さは、３ｍｍ、５ｍｍ、８ｍｍ、１０ｍｍ、１５ｍｍ、２０ｍｍとした。つまり、Ａタイプ、Ｂタイプ、Ｃタイプのいずれセットについても、下部開封片９の底面部３からの最大高さが３ｍｍ、５ｍｍ、８ｍｍ、１０ｍｍ、１５ｍｍ、２０ｍｍとなる医薬品包装体セットを準備し、落下試験を行った。なお、各下部開封片９は、図１や図３に示されるように、底面部３と背面板３２との境界を構成する角部分稜線の一部分（底面部３及び側壁部２の境界の一部分）を下底とする等脚台形状に形成されている。ここで、等脚台形状の下部開封片９の下底に対応する部分の長さは、２５ｍｍであり、上底（上辺部８１）の長さは、１８ｍｍとしている。また、下部開封片９の輪郭の一部を成す下部側壁切り込み線部８は、側壁部２の厚み方向に切りこんだ複数の切り込み部と、切り込み部同士の間に配置されるツナギ部とを備えて構成されている。切り込み部の長さは、７．５ｍｍであり、ツナギ部の長さは、３ｍｍとしている。
【００４７】
上記のように構成された各医薬品包装体セット６０について、１００ｃｍの高さから床面に落下させ、下部開封片９に破断が発生しているか否かについて確認を行った。表１にその結果を示す。なお、表１中においては、下部開封片９に破断が生じているものを×とし、破断が生じていないものを○としている。
【００４８】
【表１】
2020121045.tif 000003
【００４９】
表１より、下部開封片９の底面部３からの最大高さが、３ｍｍ、５ｍｍのものについては、破断が生じているが、８ｍｍ以上のものについては、破断が生じていないことが分かる。下部開封片９の底面部３からの最大高さが、５ｍｍ未満のものは、落下時に、丸底のビン容器の底部角が点状に強く下部開封片９に押し付けられる結果、その押し付け力に抗しきれずに破断に至ったものであると考えられる。一方、下部開封片９の底面部３からの最大高さが、８ｍｍ以上のものについては、落下時に、丸底のビン容器の底部角が点状に下部開封片９に押し付けられるものの、下部側壁切り込み線部８の強度が５ｍｍ未満のものよりも勝っているため、破断に至らなかったものであると考えられる。また、この試験結果から、下部開封片９の底面部３からの最大高さを８ｍｍ以上に設定することは、丸底のビン容器と形態的な類似性が高い容器、つまり、下部開封片９との間で点状の接触部分での押し付けが生じる様な容器、例えば、容器底部の輪郭形状が５角形以上の多角形状の容器に対しても、同様な効果、つまり、下部開封片９が破断しないという効果を得ることができると考えられる。
【００５０】
以上より、紙個箱１における下部開封片９は、その底面部３からの最大高さを８ｍｍ以上に設定することで、下部開封片９の強度（下部側壁切り込み線部８の強度）を高めることができ、輸送中の衝撃等で不測に開封されてしまうことをより効果的に回避できるがわかる。なお、この下部開封片９は、底面切り込み線部を破断させて底面部３を開封する操作の起点となる部分であり、人の手指で押し込むことができる大きさに構成することが好ましく、また、下部開封片９が設けられる側壁部２は、製品名称や様々な製品説明等が表示される部分でもあることから、下部開封片９が大きくなり過ぎないように構成することが好ましい。そこで、下部開封片９の底面部３からの最大高さとしては、８ｍｍ以上２０ｍｍ以下の範囲となるように、更には、８ｍｍ以上１５ｍｍ以下の範囲となるように構成することが好ましい。
【００５１】
また、本実施形態においては、図１に示すように、下部開封片９を等脚台形状に形成していることから、下部側壁切り込み線部８は、底面部３と背面板３２との境界を構成する角部分稜線２２の一部分２２ａに略平行な上辺部８１を備えるように構成される。この上辺部８１の一部を構成するツナギ部（上辺ツナギ部）の長さは、２．５ｍｍ以上３．５ｍｍ以下の範囲となるように構成することが、下部開封片９の強度を高めるという観点や開封性を良好にするという観点から好ましい。この点、本発明の発明者は試験を行いその効果を確認したので、以下、その試験内容及び試験結果について説明する。
【００５２】
まず、試験内容についてであるが、上述の下部開封片９の底面部３からの最大高さに関する強度確認の試験内容と同様に、所定の医薬品収納容器を本発明に係る紙個箱１に収容して包装した医薬品包装体を８個一組となるようにテープにて束ねたものを用意し、この束ねられた８個一組の医薬品包装体セットを１００ｃｍの高さから鉄板を敷いた床面に自由落下させ、その衝撃で下部開封片９が破断するか否かについて確認することにより行った。医薬品包装体セットの態様も同様であり、図６（ａ）の模式図に示すように、下段に４個の医薬品包装体６１を２×２に配列し、その上部に、残りの４個の医薬品包装体６１を２×２に配列して構成している。また、医薬品包装体セット６０を落下させる際には、図６（ｂ）に示すように、該医薬品包装体セット６０の底部と正面部との間の稜線部分６２が下方に向くようにして落下させた。なお、医薬品包装体セット６０に含まれる各紙個箱１は、下部開封片９が、図６（ｂ）の矢視Ａで示される面側に全て配置されるように配列されている。また、各紙個箱１は、図４に示すような個箱形成用シート３０を組み立てることにより形成されている。
【００５３】
落下試験に供される医薬品包装体セットは、底面部３及び上面部４が、４．８ｃｍ×４．８ｃｍの正方形状を有し、側壁部２の高さが８．１ｃｍとなる紙個箱１に、ビン規格８Ｋのビン容器に錠剤（１００錠）を収納したものにより構成されるＤタイプ：６セット、底面部３及び上面部４が、６．１ｃｍ×６．１ｃｍの正方形状を有し、側壁部２の高さが１２．１ｃｍとなる紙個箱１に、ビン規格１３Ｋのビン容器に錠剤（２８０錠）を収納したものにより構成されるＥタイプ：６セット、底面部３及び上面部４が、６．８ｃｍ×６．８ｃｍの正方形状を有し、側壁部２の高さが１５ｃｍとなる紙個箱１に、専用ビン容器に錠剤（４２０錠）を収納したものにより構成されるＦタイプ：６セットの合計１８セット準備した。なお、Ｄタイプ〜Ｆタイプの医薬品包装体セットに含まれる各医薬品包装体の重量は、Ｄタイプが、７８ｇであり、Ｅタイプが、２８８ｇ、Ｆタイプが４８９ｇである。なお、各錠剤が収納されるビン容器は、底部の輪郭形状が円形に形成されている。
【００５４】
上記のような医薬品包装体セットにおいて、セット毎に、紙個箱１における下部開封片９における上辺部８１の一部を構成するツナギ部（上辺ツナギ部）の長さが、異なるように構成している。各セットにおける上辺ツナギ部の長さは、１．５ｍｍ、２．０ｍｍ、２．５ｍｍ、３．０ｍｍ、３．５ｍｍ、４．０ｍｍとし、上辺部８１の２カ所に形成している。つまり、Ｄタイプ、Ｅタイプ、Ｆタイプのいずれセットについても、上辺部８１の一部に２カ所のツナギ部（上辺ツナギ部）を形成し、各ツナギ部の長さが、１．５ｍｍ、２．０ｍｍ、２．５ｍｍ、３．０ｍｍ、３．５ｍｍ、４．０ｍｍとなる医薬品包装体セットを準備し、落下試験を行った。なお、各下部開封片９は、図１や図３に示されるように、底面部３と背面板３２との境界を構成する角部分稜線２２の一部分２２ａ（底面部３及び側壁部２の境界の一部分）を下底とする等脚台形状に形成されている。ここで、等脚台形状の下部開封片９の下底に対応する部分の長さは、２５ｍｍであり、上底（上辺部８１）の長さは、１８ｍｍとしている。また、下部開封片９の底面部３からの高さ（底面部３から上辺部８１までの高さ）は、８ｍｍとしている。また、底面部３と上辺部８１との間に配置される下部側壁切り込み線部８の一部分には、その中央部において１．５ｍｍのツナギ部が形成されている。
【００５５】
上記のように構成された各医薬品包装体セット６０について、１００ｃｍの高さから床面に落下させ、下部開封片９に破断が発生しているか否かについて確認を行った。表２にその結果を示す。なお、表２中では、強度評価欄において、下部開封片９に破断が生じているものを×とし、破断が生じていないものを○としている。また、併せて、開封のしやすさについても確認し、表２中の開封容易性欄において、極めて開封しやすいと判断できたものを◎とし、問題なく開封できると判断できたものを○とし、開封に困難性を伴うものを×としている。また、紙個箱１の底面部３の面積に対する医薬品を内部に収納した容器の重量の比（ｇ／ｃｍ２）についても併せて表２に示す。
【００５６】
【表２】
2020121045.tif 000004
【００５７】
表２より、下部開封片９の上辺部８１の一部を構成するツナギ部（上辺ツナギ部）の長さが、２．５ｍｍ以上のものについては、Ｄタイプ、Ｅタイプ、Ｆタイプのいずれにおいても破断が生じていないことが分かる。また、紙個箱１の底面部３の面積に対する医薬品を内部に収納した容器の重量の比（ｇ／ｃｍ２）と、破断の有無との関係に着目すると、紙個箱１の底面部３の面積に対する医薬品を内部に収納した容器の重量の比（ｇ／ｃｍ２）が４ｇ／ｃｍ２以上となる重量物を紙個箱１に収容する場合には、上辺部８１の一部を構成するツナギ部（上辺ツナギ部）の長さが、２．５ｍｍ以上に設定することにより、効果的に下部開封片９の破断が防止されると考えられる。また、表２より、上辺部８１の一部を構成するツナギ部（上辺ツナギ部）の長さが４．０ｍｍのものは、破断が生じないものの、ツナギ部（上辺ツナギ部）での強度が高いため、手指で開封する際に困難性を伴うものであることが分かった。このことから、輸送中の衝撃に耐える強度を有しつつも、良好な開封性を発揮させるためには、上辺部８１の一部を構成するツナギ部（上辺ツナギ部）の長さは、２．５ｍｍ以上３．５ｍｍ以下の範囲に設定されることが好ましいといえる。
【符号の説明】
【００５８】
１  紙個箱
２  側壁部
３  底面部
４  上面部
５  上部側壁切り込み線部
６  上部開封片
７  上部角部切り込み線部
８  下部側壁切り込み線部
９  下部開封片
１０  底面切り込み線部
３０  個箱形成用シート
３０ａ  箱本体部
３０ｂ  蓋構成部
３０ｃ  底面構成部
３１  糊代
３２  背面板
３３  第１側面板
３４  正面板
３４  第２側面板
４１  外蓋片
【図１】
2020121045.tif 000005
【図２】
2020121045.tif 000006
【図３】
2020121045.tif 000007
【図４】
2020121045.tif 000008
【図５】
2020121045.tif 000009
【図６】
2020121045.tif 000010
【図７】
2020121045.tif 000011